(57)【要約】  【課題】  顧客がメニューシートを見開いた際に電源電圧を印加させてＥＬ表示面を自動的に面発光させることで暗い室内でもメニュー内容を容易に視認することができるメニュー装置を提供する。  【解決手段】  各種外部電源２０から直流電源として充電受信装置に取込まれた直流電源を蓄電する蓄電装置２８と、蓄電装置から出力された直流電源を交流に変換するインバーター３０と、該インバーター３０から出力された電圧を昇圧する高圧発信回路３２と、高圧発信回路３２に接続されて２つに折り畳まれたＥＬ表示面を見開いた際センサー３６のＯＮ信号により上記高圧発振回路３２を起動させるスイッチ回路３２と、この高圧発振回路３２が接続されると共にＥＬ表示面の輝度調整を行う照度制御回路４０が接続されたＥＬ駆動回路３８とを有し、上記ＥＬ駆動回路３８にはＥＬ表示面として交流駆動の電界発光型平面印刷式無機ＥＬシートがＦＰＣ４４を介して着脱可能に接続されている。【選択図】  図３
0003137184.tif 000002
【実用新案登録請求の範囲】
【請求項１】
通電によってメニュー内容が発光表示されるＥＬ表示面を有するメニュー装置に於いて、
各種外部電源２０から直流電源として取込む充電受信装置２２，２４，２６と、該充電受信装置に取込まれた直流電源を蓄電する蓄電装置２８と、該蓄電装置２８から出力された直流電源を交流に変換するインバーター３０と、該インバーター３０に接続されて上記インバーター３０から出力された電圧を昇圧する高圧発振回路３２と、該高圧発振回路３２に接続されて２つに折り畳まれた上記ＥＬ表示面を見開いた際センサＳのＯＮ信号により上記高圧発振回路３２を起動させるスイッチ回路３７と、上記高圧発振回路３２と共に上記インバーター３０に接続されて上記ＥＬ表示面を発光制御するマルチシーケンシャル制御回路３６が接続された信号制御回路３４と、上記高圧発振回路３２並びに信号制御回路３４に接続されると共に上記ＥＬ表示面の輝度調整を行う照度制御回路４０が接続されたＥＬ駆動回路３８とを有し、
上記ＥＬ駆動回路３８には、上記ＥＬ表示面として交流駆動の電界発光型平面印刷式無機ＥＬシートがＦＰＣを介して着脱可能に接続されていることを特徴とするメニュー装置。
【請求項２】
通電によってメニュー内容が発光表示されるＥＬ表示面を有するメニュー装置に於いて、
各種外部電源２０を直流電源として取込む充電受信装置２２，２４，２６と、該充電受信装置に取込まれた直流電源を蓄電する蓄電装置２８と、該蓄電装置２８から出力された直流電源を交流に変換するインバーター３０と、該インバーター３０に接続され上記インバーター３０から出力された電圧を昇圧する高圧発振回路３２と、該高圧発振回路３２に接続されて上記ＥＬ表示面を見開いた際センサのＯＮ信号により上記高圧発振回路３２を起動させるスイッチ回路３７と、上記高圧発振回路３２に接続されると共に上記ＥＬ表示面の輝度調整を行う照度制御回路４０が接続されたＥＬ駆動回路３８とを有し、
上記ＥＬ駆動回路３８には、上記ＥＬ表示面として交流駆動の電界発光型平面印刷式無機ＥＬシートがＦＰＣを介して着脱可能に接続されていることを特徴とするメニュー装置。
【請求項３】
それぞれに上記ＥＬ表示面を備えたベースＥＬシートとカバーＥＬシートの端縁部が見開き可能に電気的に接続されており、不使用時には上記ベースＥＬシート４とカバーＥＬシート２が２つに折り畳まれて上記各ＥＬ表示面同士が接触してセンサＳがＯＦＦ状態となり、上記ＥＬ表示面を見開いた際は、上記センサＳのＯＮ信号によりスイッチ回路３７を介して高圧発振回路３２を起動させて上記各ＥＬ表示面を発光表示するようにしたことを特徴とする請求項１または２に記載のメニュー装置。
【請求項４】
ＥＬ表示面を備えたベースＥＬシート４のＥＬ表示面を載置面上に接触して伏せて置かれた不使用時にはセンサＳがＯＦＦ状態となり、上記ＥＬ表示面を見開いた際は、上記センサＳのＯＮ信号によりスイッチ回路３７を介して高圧発振回路３２を起動させて上記ＥＬ表示面を発光表示するようにしたことを特徴とする請求項１または２に記載のメニュー装置。
【考案の詳細な説明】
【技術分野】
【０００１】
本考案は、高級レストラン等で使用されるメニュー装置に係り、特に薄暗い室内でもメニュー内容を判読できるようにしたメニュー装置に関する。
【背景技術】
【０００２】
従来より、レストランや喫茶店などで使用されているメニューシートは、店によって異なるが上記メニューシートの限られた広さの表示部に数多くの料理名や値段などのメニュー内容が小さい文字で表示されている場合がある。
一方、高級レストラン等では、店内の照明が比較的薄暗い照明に設定されていることから、上記のように小文字でメニュー内容が表示された場合では、内容の判読がし難いため、テーブル上のスタンドライトや天井や壁面に設けたスポットライトにメニューシートをかざす煩わしさが生ずる問題を有している。
【０００３】
このような、問題を解決したものとして、電源電圧を印加することで面発光するエレクトロルミネセンス等の面発光体上面に料理名や値段などを印刷した透明なメニューシートを差し込み、上記面発光体を面発光させることでメニューシートを薄暗い場所でも容易に判読することができるようにしたものが提案されている（例えば特許文献1参照）。
【０００４】
【特許文献１】実開昭６２−１５８４８１号公報
【考案の開示】
【考案が解決しようとする課題】
【０００５】
ところで、上記特許文献１では、メニューシートを発光させる電源電圧の切替える方法や、発光表示させる表示制御方法がメニューシート使用上の効果を向上するために不可欠となるが、上記特許文献１には面発光体に電源電圧の切替え方法や表示面の表示制御方法が開示されていない。
【０００６】
従って本考案の目的とするところは、顧客がメニューシートを見開いた際に電源電圧を印加させてＥＬ表示面を自動的に面発光させることで暗い室内でもメニュー内容を容易に視認することができるメニュー装置を提供するにある。
【課題を解決するための手段】
【０００７】
上記目的を解決する為に本考案は次の技術的手段を有する。即ち、実施例に対応する添付図面中の符号を用いて説明すると、本考案の請求項１に記載のメニュー装置は、通電によってメニュー内容が発光表示されるＥＬ表示面を有するメニュー装置に於いて、各種外部電源２０から直流電源として取込む充電受信装置２２，２４，２６と、該充電受信装置に取込まれた直流電源を蓄電する蓄電装置２８と、該蓄電装置２８から出力された直流電源を交流に変換するインバーター３０と、該インバーター３０に接続されて上記インバーター３０から出力された電圧を昇圧する高圧発振回路３２と、該高圧発振回路３２に接続されて２つに折り畳まれた上記ＥＬ表示面を見開いた際センサＳのＯＮ信号により上記高圧発振回路３２を起動させるスイッチ回路３７と、上記高圧発振回路３２と共に上記インバーター３０に接続されて上記ＥＬ表示面を発光制御するマルチシーケンシャル制御回路３６が接続された信号制御回路３４と、上記高圧発振回路３２並びに信号制御回路３４に接続されると共に上記ＥＬ表示面の輝度調整を行う照度制御回路４０が接続されたＥＬ駆動回路３８とを有し、上記ＥＬ駆動回路３８には、上記ＥＬ表示面として交流駆動の電界発光型平面印刷式無機ＥＬシートがＦＰＣを介して着脱可能に接続されていることを特徴とするメニュー装置である。
上記のメニュー装置によれば、各種外部電源２０から充電受信装置２２，２４，２６により直流電源として取込まれて蓄電装置２８に蓄電され、該蓄電装置２８から出力された直流電源をインバーター３０により交流に変換して、上記インバーター３０から出力された電圧が高圧発振回路３２により昇圧される。ここで、２つに折り畳まれたＥＬ表示面を見開いた際、センサＳのＯＮ信号によりスイッチ回路３７が作動して高圧発振回路３２が起動してＥＬ駆動回路１８が駆動される。上記ＥＬ表示面は、予め設定されたマルチシーケンシャル制御回路３６の設定内容に基づく信号制御回路３４により発光制御され、ＥＬ表示面の輝度調整を行う際は、照度制御回路４０が制御されて所望の輝度が得られる。
【０００８】
本考案の請求項２に記載のメニュー装置は、通電によってメニュー内容が発光表示されるＥＬ表示面を有するメニュー装置に於いて、各種外部電源２０を直流電源として取込む充電受信装置２２，２４，２６と、該充電受信装置に取込まれた直流電源を蓄電する蓄電装置２８と、該蓄電装置２８から出力された直流電源を交流に変換するインバーター３０と、該インバーター３０に接続され上記インバーター３０から出力された電圧を昇圧する高圧発振回路３２と、該高圧発振回路３２に接続されて上記ＥＬ表示面を見開いた際センサのＯＮ信号により上記高圧発振回路３２を起動させるスイッチ回路３７と、上記高圧発振回路３２に接続されると共に上記ＥＬ表示面の輝度調整を行う照度制御回路４０が接続されたＥＬ駆動回路３８とを有し、上記ＥＬ駆動回路３８には、上記ＥＬ表示面として交流駆動の電界発光型平面印刷式無機ＥＬシートがＦＰＣを介して着脱可能に接続されていることを特徴とするメニュー装置である。
上記のメニュー装置によれば、各種外部電源２０から充電受信装置２２，２４，２６により取込まれて蓄電された蓄電装置２８から出力された直流電源をインバーター３０により交流に変換して、上記インバーター３０から出力された電圧が高圧発振回路により昇圧される。ここで、ＥＬ表示面を見開いた際、センサＳのＯＮ信号によりスイッチ回路３７が作動して高圧発振回路３２が起動しＥＬ駆動回路３８が駆動される。ＥＬ表示面の輝度調整を行う際は、照度制御回路４０が制御されて所望の輝度が得られる。
【０００９】
本考案の請求項３に記載のメニュー装置は、それぞれに上記ＥＬ表示面を備えたベースＥＬシートとカバーＥＬシートの端縁部が見開き可能に電気的に接続されており、不使用時には上記ベースＥＬシート４とカバーＥＬシート２が２つに折り畳まれて上記各ＥＬ表示面同士が接触してセンサＳがＯＦＦ状態となり、上記ＥＬ表示面を見開いた際は、上記センサＳのＯＮ信号によりスイッチ回路３７を介して高圧発振回路３２を起動させて上記各ＥＬ表示面を発光表示するようにしたことを特徴とするメニュー装置である。
上記のメニュー装置によれば、メニュー装置が不使用時には、ベースＥＬシート４とカバーＥＬシート２が２つに折り畳まれて各ＥＬ表示面同士が接触してセンサＳがＯＦＦ状態となり、上記ＥＬ表示面を見開いた際は、センサＳのＯＮ信号によりスイッチ回路３７を介して高圧発振回路３２を起動させて各ＥＬ表示面が発光表示されると共に、予め設定されたマルチシーケンシャル制御回路３６の設定内容に基づく信号制御回路３４により発光制御され、ＥＬ表示面の輝度調整を行う際は、照度制御回路４０が制御されて所望の輝度が得られる。
本考案の請求項４に記載のメニュー装置は、ＥＬ表示面を備えたベースＥＬシート４のＥＬ表示面を載置面上に接触して伏せて置かれた不使用時にはセンサＳがＯＦＦ状態となり、上記ＥＬ表示面を見開いた際は、上記センサＳのＯＮ信号によりスイッチ回路３７を介して高圧発振回路３２を起動させて上記ＥＬ表示面を発光表示するようにしたことを特徴とするメニュー装置である。
上記のメニュー装置によれば、メニュー装置が不使用時には、載置面上に接触して伏せて置かれた単一のベースＥＬシート４のＥＬ表示面が上記載置面との接触により、センサＳがＯＦＦ状態となり、上記ＥＬ表示面を載置面から見開いた際は、センサＳのＯＮ信号によりスイッチ回路３７を介して高圧発振回路３２を起動させて各ＥＬ表示面が発光表示されると共に、ＥＬ表示面の輝度調整を行う際は、照度制御回路４０が制御されて所望の輝度が得られる。
【考案の効果】
【００１０】
請求項１に記載の考案によれば、各種外部電源を充電受信装置により直流電源として蓄電装置に取込むことにより、蓄電装置から出力された直流電源を交流に変換して高圧発振回路により昇圧させることで、ＥＬ表示面を見開いた際にセンサのＯＮ信号により高圧発振回路を介してＥＬ駆動回路が駆動されて交流駆動の電界発光型平面印刷式無機ＥＬシートを発光表示することができる。上記ＥＬ表示面は、マルチシーケンシャル制御回路により発光制御されるので、メニュー内容の特徴を目立たせることができ、ＥＬ表示面を適切な輝度に調整することができる。
【００１１】
請求項２に記載の考案によれば、各種外部電源を充電受信装置により直流電源として蓄電装置に取込むことにより、蓄電装置から出力された直流電源を交流に変換して高圧発振回路により昇圧させることで、ＥＬ表示面を見開いた際にセンサのＯＮ信号により高圧発振回路を介してＥＬ駆動回路が駆動されて交流駆動の電界発光型平面印刷式無機ＥＬシートを発光表示することができる。上記ＥＬ表示面を適切な輝度に調整することができる。
【００１２】
請求項３に記載の考案によれば、２つに折り畳まれて各ＥＬ表示面同士を見開いた際、センサのＯＮ信号によりスイッチ回路が作動し高圧発振回路が起動してＥＬ駆動回路が駆動されてＥＬ表示面が発光表示されるので、顧客が視認し難い暗い室内でもメニュー内容を容易に確認することができる。また、ＥＬ表示面は信号制御回路により発光制御されると共に、照度制御回路が制御されて所望の輝度を得ることができる。
【００１３】
請求項４に記載の考案によれば、メニュー装置が不使用時には、載置面上に接触して伏せて置かれた単一のベースＥＬシートのＥＬ表示面を上記載置面から見開いた際、センサのＯＮ信号によりＥＬ表示面が発光表示されるので、折り畳まれない形態の一枚シートのメニュー装置でも顧客が視認し難い暗い室内において、メニュー内容を容易に確認することができる。また、ＥＬ表示面は照度制御回路が制御されて所望の輝度を得ることができる。
【考案を実施するための最良の形態】
【００１４】
本考案の実施例を以下に説明する。
【実施例１】
【００１５】
図１〜図４には、本考案の実施例が示されている。図１は本考案の一実施形態に係るメニュー装置を閉じた状態を示す外観斜視図、図２は本考案の一実施形態に係るメニュー装置を開いた状態を示す外観斜視図、図３はメニュー装置のＥＬ表示面を発光表示するブロック図、図４はメニュー装置のＥＬ表示面を発光表示するフローチャートである。
【００１６】
図１において、符号１は本考案のメニュー装置を示しており、このメニュー装置１は、それぞれにＥＬ表示面を備えたベースＥＬシート４とカバーＥＬシート２から成り、上記ベースＥＬシート４及びカバーＥＬシート２は、詳細は後述するが、シート状のＥＬ（electroluminescence）で構成されており電圧を印加することで面発光するように構成されており、これらベースＥＬシート４とカバーＥＬシート２の外面にはそれぞれシート部材５，６が貼着されこれらの端縁が可撓性の連結シート８で連結され、上記ベースＥＬシート４とカバーＥＬシート２の端縁は、上記連結シート８の内側に設けたＦＰＣ（フレキシブルプリント基板）１０で電気的に接続されている。
【００１７】
詳しくは、上記ベースＥＬシート４及びカバーＥＬシート２を構成するシート状のＥＬは、その素材と発光原理によりＡＣで駆動される無機ＥＬとＤＣで駆動される有機ＥＬに分類されており、上記無機ＥＬは、フィルム状のＰＥＴ素材をベースに発光粒子をスクリーン印刷工法でフィルム面に塗布するため、薄型、軽量・低コストで製作することができる。本実施例では、上記ベースＥＬシート４とカバーＥＬシート２をＡＣで駆動される無機ＥＬに付いて説明する。
【００１８】
印刷されたシート状の無機ＥＬは、液晶等に使用される透明電極をスパッタリングでコーティングしたＰＥＴフィルム上に蛍光体層と誘電体層を作り、最後に背面電極を配置した構成となっている。
【００１９】
シート状無機ＥＬに塗布されているＥＬ素子となる蛍光体は、硫化亜鉛に銅を混ぜたものであり、その発光原理は電圧を印加した時の瞬間的な発光であり、従って、蛍光体に交流電圧を印加することで発光が繰り返されて連続的な発光となるもので、当然、電位が高く周波数が高くなるほど明るく光るが、連続的に発光させると上記蛍光体の特性から輝度の減少が起こり、その影響は電圧よりも周波数の影響が大きく、制御方法が難しくなる。
【００２０】
詳しくは、上記無機ＥＬのベースＥＬシート４とカバーＥＬシート２のＥＬ表示面は、無機ＥＬ素子をマトリクス状に配列して構成され、ガラス等の基板上に、複数本のストライプ状電極を互いに平行に例えば列方向に配列してデータ電極とし、このデータ電極に直交する行方向に複数本のストライプ状電極を互いに平行に並列して走査電極とする。
【００２１】
データ電極と走査電極の間に発光層を介在させて両電極の交差部において、発光層をデータ電極と両電極で挟んだ構造により無機ＥＬを形成することにより、多数の表示画素が２次元配列されたパッシブマトリクス型の表示パネルが構成される。
【００２２】
ところで、無機ＥＬ素子は、容量性の素子であるため、発光層に駆動電圧を印加すると、発光に寄与する電流は、電圧の立ち上がり直後に急峻なピークをもって立ち上がり、コンデンサへの充電電流と同様の挙動をしめす。電流が流れる時間は数μ秒という短い時間であり、電流が流れた後に印加される電圧は発光には寄与しない。すなわち、駆動電圧として直流電圧を印加したのでは連続した発光を得ることができない。
【００２３】
従って、上記無機ＥＬにおいては、例えば走査電極を駆動する走査側駆動回路は、データ電極に対して負極性の電圧を印加する出力素子と正極性の電圧を印加する出力素子を有する構成が用いられることにより、発光層に対して対称性の良い交流パルスが周期的に印加され、信頼性の高い表示が得られる。
【００２４】
ここで、上記ＰＥＴ（Poly Ethylene Terephthalate）素材は、木や紙と同じ炭素・酸素・水素の３元素から出来ているため、素材としてはＹシャツやブラウスなどの繊維と同じものである。
【００２５】
図２においてメニュー装置１は、ベースＥＬシート４とカバーＥＬシート２は見開き状態となっており、上記ベースＥＬシート４とカバーＥＬシート２の上面が発光表示されるＥＬ表示面となっており、これらＥＬ表示面の上面には、メニュー内容としての文字、記号Ｗ（図中○印）が印刷された透明なメニューシート１４ａ，１４ｂを差し替え可能に収容できる袋体１２ａ，１２ｂが設けられており、対向する内側端縁に開口部が形成されている。
【００２６】
そして、シート部材６には、ＥＬ駆動回路１８（後述する）が実装されており、上記シート部材６の駆動回路１８はＦＰＣ（フレキシブルプリント基板）１６を介してベースＥＬシート４に電気的に接続されている。
【００２７】
図３に示すブロック図において、符号２０は電磁誘導式磁力線発生装置又は太陽光発電装置或いは家庭用１００Ｖ交流電源を直流に変換するＡＣ／ＤＣアダプターから成る各種外部電源を示しており、上記駆動回路１８は、各種外部電源を構成する電磁誘導式磁力線発生装置との電磁誘導結合によりＤＣ電源を発生させる電磁誘導式充電受信装置２２、及び太陽電池式充電受信装置２４、家庭用電源式充電受信装置２６を介して直流電源を蓄電する蓄電装置（容量型）２８と、該蓄電装置２８から出力された直流電源を交流に変換するＤＣ／ＡＣインバーター３０と、該インバーター３０に接続されて上記インバーター３０から出力された電圧を昇圧する高圧発振回路３２と、該高圧発振回路３２に接続されて２つに折り畳まれたＥＬ表示面を見開いた際、センサＳのＯＮ信号により上記高圧発振回路３２を起動させるスイッチ回路（ＯＮ／ＯＦＦ回路）３７と、上記高圧発振回路３２と共に上記インバーター３０に接続されて上記ＥＬ表示面を発光制御するマルチシーケンシャル制御回路３６が接続された信号制御回路３４と、上記高圧発振回路３２並びに信号制御回路３４に接続されると共に輝度調整装置４２により上記ＥＬ表示面の輝度調整を行う照度制御回路４０が接続されたＥＬ駆動回路（ＥＬドライバー）３８とを有している。
【００２８】
上記ＥＬ表示面は、見開き可能に２つに折り畳まれたベースＥＬシート４とカバーＥＬシート２から成り、これらベースＥＬシート４とカバーＥＬシート２は、交流駆動の電界発光型平面印刷式無機ＥＬシートで構成されている。
【００２９】
そして、一方のカバーＥＬシート２は、上記ＥＬ駆動回路３８にＦＰＣ（フレキシブルプリント基板）１６を介して着脱可能に接続されている。更に、上記ベースＥＬシート４とカバーＥＬシート２もＦＰＣ（フレキシブルプリント基板）１０で接続されている。
【００３０】
ここで、上記ベースＥＬシート４とカバーＥＬシート２のＥＬ表示面は、点線で示すように４分割並びに９分割された発光制御領域を有しており、上記のように区分されたＥＬ表示面は、上記マルチシーケンシャル制御回路３６に予め設定されたプログラムに基づく制御信号により信号制御回路３４を介して発光制御される。
【００３１】
詳しくは、マルチシーケンシャル制御回路３６は、一般に、Ｎ本のデータ列をデータ列内及びデータ時間で入れ替え等のデータ交換を行う際には、時間スイッチ回路が用いられる。この種の時間スイッチ回路では、Ｎ本のデータ列を時分割多重して一面のデータメモリと一面のアドレスコントロールメモリによってデータの入れ替えを行う単一時間スイッチ回路と、Ｎ×Ｎ面のデータメモリとＮ面のアドレスコントロールメモリを用いてデータの入れ替えを行う並列形スイッチ回路を用いる必要がある。
【００３２】
一方、上記ＥＬ駆動回路（ＥＬドライバー）３８としては、携帯電話、ページャー、コードレス電話、ＡＶ機器等の電子機器に使用されており、これらの電子機器には種々の機能を有する回路が含められているが、中でも使用頻度の高い回路に、当該機器や外部機器の動作日や時刻を制御したり、ユーザーに時刻やカレンダー情報を提供するためのリアルタイムクロック回路（ＲＴＣ）や情報を表示するための液晶表示装置を駆動制御する液晶ドライバー（ＬＤＣ）があり、また液晶表示装置の照明用光源となったり、あるいは点灯状態によって機器の機能の動作／非動作などの情報を表示するＥＬ発光素子を駆動制御する上記のＥＬドライバー（ＥＬＤ）がある。
【００３３】
また、上記ベースＥＬシート４とカバーＥＬシート２の何れかのＥＬ表示面、本実施例ではベースＥＬシート４の表示面内部にセンサＳが埋め込まれており、このセンサＳは、例えば薄型近接センサやメンブレンスイッチが使用されており、本実施例では、ベースＥＬシート４とカバーＥＬシート２が閉じた状態ではスイッチがＯＦＦ状態となり、見開き状態となった場合にＯＮ状態となるように回路構成されている。
【００３４】
次に、メニュー装置のＥＬ表示面を発光表示する流れを図４のフローチャートを参照して説明する。
【００３５】
先ず、ステップ１（ＳＴ１）で各種外部電源２０から各種充電受信装置を介して直流電源が取込まれると、これがステップ２（ＳＴ２）で蓄電装置２８に蓄電され、該蓄電装置２８から出力された直流電源はステップ３（ＳＴ２）でＤＣ／ＡＣインバーター３０により交流に変換される。
【００３６】
そこで、顧客がメニュー装置１を使用する際に、ステップ４（ＳＴ４）で２つ折りに折り畳まれたメニュー装置１のカバーＥＬシート２を見開くと、センサＳからの検知信号でスイッチ回路（ＯＮ／ＯＦＦ回路）３７がステップ５（ＳＴ５）によりＯＮに切り替わる。
【００３７】
このスイッチ回路（ＯＮ／ＯＦＦ回路）３７のＯＮ動作により、ステップ６（ＳＴ６）で高圧発振回路３２が起動するとステップ１１（ＳＴ１１）でＥＬ駆動回路（ＥＬドライバー）３８が駆動されるが、同時にステップ７（ＳＴ７）でマルチシーケンシャル制御回路３６に予め設定されたプログラムに基づく制御信号によりステップ８（ＳＴ８）で上記信号制御回路３４が駆動され、見開かれたメニュー装置１のベースＥＬシート４とカバーＥＬシート２のＥＬ表示面がステップ１２（ＳＴ１２）で発光表示される。
【００３８】
ステップ９（ＳＴ９）においてＥＬ表示面の輝度調整が行われると、ステップ１０（ＳＴ１０）で照度制御回路４０が制御されてベースＥＬシート４とカバーＥＬシート２のＥＬ表示面の明るさは上記ステップ１２（ＳＴ１２）で顧客に合った適正な明るさで発光表示され、ＥＬ表示面を発光表示する流れが終了する。
【００３９】
このように、上記のメニュー装置によれば、各種外部電源２０を充電受信装置２２，２４，２６により直流電源として蓄電装置２８に取込むことにより、上記蓄電装置２８から出力された直流電源を交流に変換して高圧発振回路３２により昇圧させることで、ＥＬ表示面を見開いた際にセンサＳのＯＮ信号により高圧発振回路３２を介してＥＬ駆動回路１８が駆動されて交流駆動の電界発光型平面印刷式無機ＥＬシートを発光表示することができる。上記ＥＬ表示面は、マルチシーケンシャル制御回路３６により発光制御されるので、メニュー内容の特徴を目立たせることができ、ＥＬ表示面を適切な輝度に調整することができる。
【００４０】
また、２つに折り畳まれて各ＥＬ表示面同士を見開いた際、センサＳのＯＮ信号によりスイッチ回路３７が作動し高圧発振回路３２が起動してＥＬ駆動回路３８が駆動されてＥＬ表示面が発光表示されるので、顧客が視認し難い暗い室内でもメニュー内容を容易に確認することができる。また、ＥＬ表示面は信号制御回路３４により発光制御されると共に、輝度調整装置４２の操作により照度制御回路４０が制御されて所望の輝度を得ることができる。
【００４１】
次に、メニュー装置の他の実施形態に付き図５を参照して説明する。図５は他の実施形態に係るメニュー装置の外観斜視図である。なお、上記実施形態で説明した構成部分と同一部分は省略して説明する。
【００４２】
図５に示すブロック図において、高圧発振回路３２までは同一構成となるため、説明を省略するが、ここでは、分割されたベースＥＬシート４とカバーＥＬシート２のＥＬ表示面を発光制御するマルチシーケンシャル制御回路３６及びこのマルチシーケンシャル制御回路３６から予め設定されたプログラムに基づく制御信号を送る信号制御回路３４が削除されている。
【００４３】
したがって、本実施形態のメニュー装置では、ベースＥＬシート４とカバーＥＬシート２を見開いた際に、それぞれのＥＬ表示面が自動的に発光表示されるようにしたものである。
【００４４】
本実施形態のメニュー装置によれば、各種外部電源を充電受信装置２２，２４，２６により直流電源として蓄電装置２８に取込むことにより、蓄電装置２８から出力された直流電源を交流に変換して高圧発振回路３２により昇圧させることで、ＥＬ表示面を見開いた際にセンサＳのＯＮ信号により高圧発振回路３２を介してＥＬ駆動回路１８が駆動されて交流駆動の電界発光型平面印刷式無機ＥＬシートを発光表示することができる。上記ＥＬ表示面を適切な輝度に調整することができる。
【００４５】
更に、前述した実施形態のメニュー装置では、２つに折り畳み可能なベースＥＬシート４とカバーＥＬシート２から構成されたメニュー装置として説明したが、例えば片面にＥＬ表示面を設けたベースＥＬシート４のみの単一シートで構成することもできる。
この場合は、上記ＥＬ表示面をテーブルなどの載置面上に伏せておくことで、センサＳが作動して高圧発振回路３２を起動させるスイッチ回路（ＯＮ／ＯＦＦ回路）３７がＯＦＦ状態となり、見開いた際にスイッチ回路３７がＯＮに成りＥＬ表示面が発光表示されるように構成することもできる。
【００４６】
このようにすることで、メニュー装置が不使用時には、載置面上に接触して伏せて置かれた単一のベースＥＬシートのＥＬ表示面を上記載置面から見開いた際、センサＳのＯＮ信号によりＥＬ表示面が発光表示されるので、折り畳まれない形態の一枚シートから成るメニュー装置でも顧客が視認し難い暗い室内において、メニュー内容を容易に確認することができる。また、ＥＬ表示面は照度制御回路４０が制御されて所望の輝度を得ることができる。
【００４７】
以上説明したように、上記実施例では、ベースＥＬシート４とカバーＥＬシート２は、交流駆動の電界発光型平面印刷式無機ＥＬシートとして説明してきたが、直流駆動の無機ＥＬシートを用いることもでき、直流駆動の有機ＥＬシートを用いることも可能である。
【図面の簡単な説明】
【００４８】
【図１】本考案の一実施形態に係るメニュー装置を閉じた状態を示す外観斜視図である。
【図２】同じく、メニュー装置を開いた状態を示す外観斜視図である。
【図３】同じく、メニュー装置のＥＬ表示面を発光表示するブロック図である。
【図４】同じく、メニュー装置のＥＬ表示面を発光表示するフローチャートである。
【図５】他の実施形態に係るメニュー装置のＥＬ表示面を発光表示するブロック図である。
【符号の説明】
【００４９】
１                メニュー装置
２                カバーＥＬシート
４                ベースＥＬシート
５，６            シート部材
８                連結シート
１０，１６        ＦＰＣ
１２ａ，１２ｂ    袋体
１４ａ，１４ｂ    メニューシート
１８              ＥＬ駆動回路
２０              各種外部電源
２２              電磁誘導式充電受信装置
２４              太陽電池式充電受信装置
２６              家庭用電源式充電受信装置
２８              蓄電装置
３０              インバーター
３２              高圧発振回路
３４              信号制御回路
３６              マルチシーケンシャル制御回路
３７              ＯＮ／ＯＦＦ回路（スイッチ回路）
３８              ＥＬドライバー（ＥＬ駆動回路）
４０              照度制御回路
４２              輝度調整装置
Ｓ                センサ
Ｗ                文字、記号
【図１】
0003137184.tif 000003
【図２】
0003137184.tif 000004
【図３】
0003137184.tif 000005
【図４】
0003137184.tif 000006
【図５】
0003137184.tif 000007